(57)【要約】【課題】端子台の代わりに予め複数Ｎ本に分岐させた分岐リード線を用いることにより、装置コストおよび配線接続作業コストを低減した屋側用引込分岐箱を提供する。【解決手段】本考案の屋側用引込分岐箱は、三相交流の各相に対応して筺体１の内面に設けられる固定台２の各相対応部位に、予め一端を共通接続した状態で配置固定される各３本の分岐リード線３Ｕ×３，３Ｖ×３，３Ｗ×３，３Ｎ×３と、各３本の分岐リード線の共通接続された一端と、屋側に引き込んだ三相交流の幹線の端部とを圧縮により電気的に接続するための幹線用圧縮スリーブ４と、各３本の分岐リード線の他端と、対応する分岐線の端部とを圧縮により電気的に接続するための分岐線用圧縮スリーブ５と、屋側に引き込んだ各幹線を各３本の分岐リード線および電線ヒューズ６を介して各３本の分岐線に接続した状態で、前記幹線および前記分岐線を筺体内に収容するためのカバー７とを備える。【選択図】図１
0003131238.tif 000002
【実用新案登録請求の範囲】
【請求項１】
三相交流のＵ相、Ｖ相、Ｗ相およびＮ相に対応する４本の幹線を屋側に引き込んで、引き込んだ幹線のそれぞれを複数Ｎ本の分岐線に接続するための屋側用引込分岐箱であって、
三相交流のＵ相、Ｖ相、Ｗ相およびＮ相に対応して筺体内面に設けられる固定台と、
予め一端を共通接続した状態で前記固定台のＵ相、Ｖ相、Ｗ相およびＮ相に対応する部位にそれぞれ配置固定される各３本の分岐リード線と、
前記各３本の分岐リード線の共通接続された一端と、屋側に引き込んだ幹線の端部とを電気的に接続するための幹線用圧縮スリーブと、
前記各３本の分岐リード線の他端と、対応する分岐線の端部とを電気的に接続するための分岐線用圧縮スリーブと、
屋側に引き込んだ幹線のそれぞれを前記分岐リード線を介して複数Ｎ本の分岐線に接続した状態で、前記幹線および前記分岐線を筺体内に収容するためのカバーと、
を具備して成ることを特徴とする屋側用引込分岐箱。
【請求項２】
前記幹線用圧縮スリーブによる電気的接続は、前記幹線の端部と前記各３本の分岐リード線の共通接続された一端とを収容した前記幹線用圧縮スリーブを圧縮することによって行い、前記分岐線用圧縮スリーブによる電気的接続は、前記各３本の分岐リード線の他端と対応する分岐線の端部とを収容した前記分岐線用圧縮スリーブを圧縮することによって行うことを特徴とする請求項１記載の屋側用引込分岐箱。
【考案の詳細な説明】
【技術分野】
【０００１】
本考案は、三相交流のＵ相、Ｖ相、Ｗ相およびＮ相に対応する４本の幹線を屋側に引き込んで、引き込んだ幹線のそれぞれを複数Ｎ本の分岐線に接続するための屋側用引込分岐箱に関するものである。
【背景技術】
【０００２】
屋側用引込分岐箱の従来例としては、例えば図６（ａ），（ｂ）に示すように、階段状に高さを異ならせた４個の端子台５１−１，５１−２，５１−３，５１−４を筺体５２内に設け、これらの端子台と直交する方向から筺体５２内に引き込んだ三相交流のＵ相、Ｖ相、Ｗ相およびＮ相（Ｏ相ともいう）に対応する４本の幹線（図示せず）のそれぞれを、各端子台によって最大４本の分岐線（図示せず）に接続し得るように構成したものがある。
【考案の開示】
【考案が解決しようとする課題】
【０００３】
上記従来例の屋側用引込分岐箱は、高価な部品である端子台を４個も使用しているため、装置コストが高くなる。また、上記従来例の屋側用引込分岐箱を用いて、筺体５２内に引き込んだ三相交流のＵ相、Ｖ相、Ｗ相およびＮ相に対応する４本の幹線のそれぞれを最大４本の分岐線に接続する際には、幹線の端部および分岐線の端部にそれぞれ圧縮端子を圧着等によって結合した後、各圧縮端子を端子ネジによって端子台に結合固定する作業を分岐線の本数だけ行う必要があるため、幹線および分岐線の配線接続作業コストも高くなる。
【０００４】
本考案は、端子台の代わりに予め複数Ｎ本に分岐させた分岐リード線を用いることにより、装置コストおよび配線接続作業コストを低減した屋側用引込分岐箱を提供することを目的とする。
【課題を解決するための手段】
【０００５】
上記目的を達成するため、本考案の屋側用引込分岐箱は、三相交流のＵ相、Ｖ相、Ｗ相およびＮ相に対応する４本の幹線を屋側に引き込んで、引き込んだ幹線のそれぞれを複数Ｎ本の分岐線に接続するための屋側用引込分岐箱であって、三相交流のＵ相、Ｖ相、Ｗ相およびＮ相に対応して筺体内面に設けられる固定台と、予め一端を共通接続した状態で前記固定台のＵ相、Ｖ相、Ｗ相およびＮ相に対応する部位にそれぞれ配置固定される各３本の分岐リード線と、前記各３本の分岐リード線の共通接続された一端と、屋側に引き込んだ幹線の端部とを電気的に接続するための幹線用圧縮スリーブと、前記各３本の分岐リード線の他端と、対応する分岐線の端部とを電気的に接続するための分岐線用圧縮スリーブと、屋側に引き込んだ幹線のそれぞれを前記分岐リード線を介して複数Ｎ本の分岐線に接続した状態で、前記幹線および前記分岐線を筺体内に収容するためのカバーと、を具備して成ることを特徴とする。
【０００６】
前記幹線用圧縮スリーブによる電気的接続は、前記幹線の端部と前記各３本の分岐リード線の共通接続された一端とを収容した前記幹線用圧縮スリーブを圧縮することによって行い、前記分岐線用圧縮スリーブによる電気的接続は、前記各３本の分岐リード線の他端と対応する分岐線の端部とを収容した前記分岐線用圧縮スリーブを圧縮することによって行うことが、配線接続作業時間を短縮して配線接続作業コストを低減する上で好ましい。
【０００７】
本考案によれば、三相交流のＵ相、Ｖ相、Ｗ相およびＮ相に対応する４本の幹線を屋側に引き込んで、引き込んだ幹線のそれぞれを複数Ｎ本の分岐線に接続するための本考案の屋側用引込分岐箱は、三相交流のＵ相、Ｖ相、Ｗ相およびＮ相に対応して筺体内面に設けられる固定台と、予め一端を共通接続した状態で前記固定台のＵ相、Ｖ相、Ｗ相およびＮ相に対応する部位にそれぞれ配置固定される各３本の分岐リード線と、前記各３本の分岐リード線の共通接続された一端と、屋側に引き込んだ幹線の端部とを電気的に接続するための幹線用圧縮スリーブと、前記各３本の分岐リード線の他端と、対応する分岐線の端部とを電気的に接続するための分岐線用圧縮スリーブと、屋側に引き込んだ幹線のそれぞれを前記分岐リード線を介して複数Ｎ本の分岐線に接続した状態で、前記幹線および前記分岐線を筺体内に収容するためのカバーとを具備して成るので、上記従来例の屋側用引込分岐箱の端子台の代わりに予め複数Ｎ本に分岐させた分岐リード線を用いることにより屋側用引込分岐箱の装置コストを低減するとともに、上記従来例の屋側用引込分岐箱の接続端子および端子ネジを用いる配線接続作業の代わりに幹線用圧縮スリーブおよび分岐線用圧縮スリーブを用いる配線接続作業を行うことにより、配線接続作業コストを低減することができる。
【考案を実施するための最良の形態】
【０００８】
以下、本考案を実施するための最良の形態を図面に基づき詳細に説明する。
【０００９】
図１（ａ）〜（ｃ）はそれぞれ、本考案の第１実施形態の屋側用引込分岐箱の構成を例示する正面図、右側面図および底面図であり、図２（ａ），（ｂ）はそれぞれ、第１実施形態の屋側用引込分岐箱の各部の外観を示す図面代用写真であり、図３（ａ），（ｂ）はそれぞれ、第１実施形態の屋側用引込分岐箱に用いる分岐リード線を示す図である。
本実施形態の屋側用引込分岐箱は、三相交流のＵ相、Ｖ相、Ｗ相およびＮ相（Ｏ相ともいう）に対応する４本の幹線の内の少なくとも３本を屋側に引き込んで、引き込んだ幹線のそれぞれを複数Ｎ本の分岐線に接続する際に使用するものであり、実際には、「三相交流のＵ相、Ｖ相、Ｗ相およびＮ相に対応する４本の幹線の内の３本（例えばＵ相、Ｖ相およびＮ相に対応する幹線）を屋側に引き込んで、引き込んだ幹線のそれぞれを複数Ｎ本の分岐線に接続する単相交流の接続」に使用するケースが大部分であり、「三相交流のＵ相、Ｖ相、Ｗ相およびＮ相に対応する４本の幹線の全部を屋側に引き込んで、引き込んだ幹線のそれぞれを複数Ｎ本の分岐線に接続する三相交流の接続」に使用するケースは希である。そのため、後述する屋側用引込分岐箱の構成に関する説明では上記三相交流の場合を例に挙げて説明を行い、後述する配線接続方法に関する説明では上記単相交流の場合を例に挙げて説明を行うことにする。なお、本実施形態の屋側用引込分岐箱では、幹線として例えば径６０ｍｍ２ の電線を用いるとともに、分岐線として例えば径２．６ｍｍ２ 〜２２ｍｍ２ の電線を用いるものとする。
【００１０】
本実施形態の屋側用引込分岐箱は、図１（ａ）〜（ｃ）に示すように、筺体１と、三相交流のＵ相、Ｖ相、Ｗ相およびＮ相に対応して筺体１の内面に設けられる固定台２と、予め一端を共通接続した状態で固定台２のＵ相、Ｖ相、Ｗ相およびＮ相に対応する部位にそれぞれ配置固定される各３本の分岐リード線３Ｕ×３，３Ｖ×３，３Ｗ×３，３Ｎ×３と、前記各３本の分岐リード線の共通接続された一端と、屋側に引き込んだ幹線（三相交流のＵ相、Ｖ相、Ｗ相およびＮ相に対応する４本の幹線の内の少なくとも３本の幹線）の端部とを電気的に接続するための幹線用圧縮スリーブ４と、前記各３本の分岐リード線の他端と、対応する分岐線の端部とを電気的に接続するための分岐線用圧縮スリーブ５と、三相交流のＵ相、Ｖ相およびＷ相に対応する分岐線の端部に接続される電線ヒューズ６と、屋側に引き込んだ幹線のそれぞれを前記分岐リード線を介して複数Ｎ本（この場合、３本）の分岐線に接続した状態で、前記幹線および前記分岐線を筺体内に収容するためのカバー７と、筺体１の外部から前記幹線および前記分岐線を筺体１内に引き込むための防水ブッシュ８等を具備して成る。なお、Ｎ相に対応する幹線は、電線ヒューズを設ける必要はない。
【００１１】
上記筺体１は、上記カバー７を装着した状態で、例えば幅１７０ｍｍ、高さ３６５ｍｍ、奥行き１５０ｍｍという外形寸法に構成されており、上述した図６（ａ），（ｂ）に示す従来例の屋側用引込分岐箱（例えば幅２１６ｍｍ、高さ３１０ｍｍ、奥行き１６０ｍｍという外形寸法）に比べて、コンパクト化されている。なお、上記カバー７は、材質をメタクリル等の熱可塑性樹脂とすることによって、コストダウンを図っている。
【００１２】
上記固定台２は絶縁性材料より成る。上記固定台２の上部には、該固定台２の三相交流のＵ相、Ｖ相、Ｗ相およびＮ相に対応する部位に前記各３本の分岐リード線の共通接続された一端をそれぞれ配置固定するための圧縮管固定台２ａ（図１（ｂ）参照）が結合されている。
【００１３】
上記各３本の分岐リード線３Ｕ，３Ｖ，３Ｗ，３Ｎの共通接続された一端は、図２（ａ），（ｂ）の図面代用写真に示すように、フランジ付き円筒状の導電体で覆われており、前記各３本の分岐リード線の他端は、上記図面代用写真では絶縁キャップで隠れていて見えないが、導電体で覆われている。
【００１４】
上記幹線用圧縮スリーブ４は、銅等の導電性材料より成り、図４（ａ）に示すように、右部分と左部分とが同一内径に構成されるとともに、ほぼ中央部には凹部４ａが形成されている。上記幹線用圧縮スリーブ４の凹部４ａの右部分および左部分はそれぞれ、引き込んだ幹線に結合しておいた導電体および上記各３本の分岐リード線の共通接続された一端の円筒状の導電体を収容し得るようになっている。
上記分岐線用圧縮スリーブ５は、銅等の導電性材料より成り、図４（ｂ）に示すように、ほぼ中央部に形成された凹部５ａの右部分および左部分は異径に構成されている。上記分岐線用圧縮スリーブ５の凹部５ａの右部分および左部分はそれぞれ、前記各３本の分岐リード線の他端の導電体および前記分岐線の端部を一端に接続した電線ヒューズ６の他端の導電体を収容し得るようになっている。
【００１５】
上記電線ヒューズ６は、図５に示すように、ヒューズ本体６ａと、ヒューズ本体６ａの図中右側に設けられた配線接続用端子６ｂと、ヒューズ本体６ａの図中左側に設けられた導電体（ローレット）６ｃとを具備して成る。
【００１６】
次に、本実施形態の屋側用引込分岐箱を使用した「三相交流のＵ相、Ｖ相、Ｗ相およびＮ相に対応する幹線の内の少なくとも３本の幹線を屋側に引き込んで、引き込んだ幹線のそれぞれを各３本の分岐線に接続する単相交流の配線接続作業」を図２（ａ），（ｂ）の図面代用写真および図３（ａ），（ｂ）に基づいて説明する。
まず、筺体１からカバー７を取り外すと、図２（ａ），（ｂ）の図面代用写真に示すような状態になる。このとき、固定台２のＵ相、Ｖ相、Ｗ相およびＮ相に対応する部位にはそれぞれ、各３本の分岐リード線３Ｕ×３，３Ｖ×３，３Ｗ×３，３Ｎ×３の共通接続された一端が配置されている。３本の分岐リード線の各々は、固定台２から取り外して、絶縁カバーを外すと、図３（ａ），（ｂ）に示す状態になる。なお、図２（ｂ）の図面代用写真において筺体の端面に見えるものは、防水ブッシュ８である。
【００１７】
次に、図２（ｂ）の図面代用写真に示す防水ブッシュ８を貫通させて、三相交流のＵ相、Ｖ相、Ｗ相およびＮ相に対応する４本の幹線の内の少なくとも３本の幹線を屋側用引込分岐箱内に引き込み、その後、引き込んだ４本または３本の幹線の端部と、各３本の分岐リード線３Ｕ×３，３Ｖ×３，３Ｗ×３，３Ｎ×３の共通接続された一端とを幹線用圧縮スリーブ４内に収容して、幹線用圧縮スリーブ４を圧縮することにより、各幹線および各３本の分岐リード線を電気的に接続する。なお、上記接続の完了後には、次に行う分岐線側の接続作業の準備のために、各３本の分岐リード線をＵ字状に折り曲げて、各３本の分岐リード線の他端を固定台２の上部に配置しておくものとする。
【００１８】
次に、図２（ｂ）の図面代用写真に示す防水ブッシュ８を貫通させて、三相交流のＵ相、Ｖ相、Ｗ相およびＮ相の幹線にそれぞれ対応する各３本の分岐線を屋側用引込分岐箱内に引き込み、その後、引き込んだ各３本の分岐線の端部をそれぞれ電線ヒューズ６の一端の配線接続用端子６ｂに接続してから、電線ヒューズ６の他端の導電体（ローレット）６ｃと、各３本の分岐リード線３Ｕ×３，３Ｖ×３，３Ｗ×３，３Ｎ×３の他端とを分岐線用圧縮スリーブ５内に収容して、分岐線用圧縮スリーブ５を圧縮することにより、各３本の分岐線および各３本の分岐リード線を電線ヒューズ６を介して電気的に接続する。以上の作業が完了すると前記幹線および前記分岐線は接続状態になり、接続完了後の各配線は、折り曲げた状態で屋側用引込分岐箱内に収容されることになる。
その後、図２（ｂ）の図面代用写真に示すように取り外して筺体１の近傍に置いておいたカバー７を筺体１に取り付けると、「三相交流のＵ相、Ｖ相、Ｗ相およびＮ相の内の少なくとも３相に対応する幹線のそれぞれを各３本の分岐線に接続する単相交流の配線接続作業」が完了する。
【００１９】
本実施形態の屋側用引込分岐箱によれば、三相交流のＵ相、Ｖ相、Ｗ相およびＮ相に対応して筺体１の内面に設けられる固定台２のＵ相、Ｖ相、Ｗ相およびＮ相に対応する部位にはそれぞれ予め一端を共通接続した状態で各３本の分岐リード線が配置固定されているので、前記各３本の分岐リード線の共通接続された一端と屋側に引き込んだ幹線の端部とを幹線用圧縮スリーブ５内に収容して圧縮することにより両者を接続した後に、前記各３本の分岐リード線の他端と対応する分岐線に接続した電線ヒューズ６の端部とを分岐線用圧縮スリーブ５内に収容して圧縮することにより両者を接続し、その後、筺体１にカバー７を取り付けることにより、「三相交流のＵ相、Ｖ相、Ｗ相およびＮ相に対応する４本の幹線のそれぞれを複数Ｎ本（第１実施形態では３本）の分岐線に接続する、三相交流の配線接続作業」が完了する。
したがって、上記従来例の屋側用引込分岐箱の端子台の代わりに予め複数Ｎ本に分岐させた分岐リード線を用いることにより屋側用引込分岐箱の装置コストを低減するとともに、上記従来例の屋側用引込分岐箱の接続端子および端子ネジを用いる配線接続作業の代わりに幹線用圧縮スリーブ４および分岐線用圧縮スリーブ５を用いる配線接続作業を行うことにより、配線接続作業コストを低減することができる。
【００２０】
また、本実施形態の屋側用引込分岐箱は、従来例の屋側用引込分岐箱に比べてコンパクトに構成されている（特に、幅が４６ｍｍ縮小されている）ため、見栄えも良くなっている。
また、従来例の屋側用引込分岐箱は端子構造を採用したため充電部が剥き出しになっており、施工が困難であったが、本実施形態の屋側用引込分岐箱は端子構造では無いので、施工が容易である。
また、本実施形態の屋側用引込分岐箱は、カバーの構造が長手方向（設置状態においては上方向）に少しずらして取り外す構造となっているため、屋側用引込分岐箱の設置場所の周囲のガス管や水道管等に支障無く施工できる。
さらに、本実施形態の屋側用引込分岐箱は、従来例の屋側用引込分岐箱に比べて軽量化されているため、施工し易い。
【図面の簡単な説明】
【００２１】
【図１】（ａ）〜（ｃ）はそれぞれ、本考案の第１実施形態の屋側用引込分岐箱の構成を例示する正面図、右側面図および底面図である。
【図２】（ａ），（ｂ）はそれぞれ、第１実施形態の屋側用引込分岐箱の各部の外観を示す図面代用写真である。
【図３】（ａ），（ｂ）はそれぞれ、第１実施形態の屋側用引込分岐箱に用いる分岐リード線を示す図である。
【図４】（ａ）は第１実施形態の屋側用引込分岐箱において幹線と分岐リード線との接続に用いる幹線用圧縮スリーブを例示する図であり、（ｂ）は第１実施形態の屋側用引込分岐箱において分岐リード線と分岐線との接続に用いる分岐線用圧縮スリーブを例示する図である。
【図５】第１実施形態の屋側用引込分岐箱において分岐リード線と分岐線とを接続する際に両者の間に介在させる電線ヒューズを例示する図である。
【図６】（ａ）は従来例の屋側用引込分岐箱の構成を例示する側面図であり、（ｂ）は従来例の屋側用引込分岐箱の内部構成を例示する平面図である。
【符号の説明】
【００２２】
１  筺体
２  固定台
２ａ  圧縮管固定台
３Ｕ，３Ｖ，３Ｗ，３Ｎ  分岐リード線
４  幹線用圧縮スリーブ
４ａ  凹部
５  分岐線用圧縮スリーブ
５ａ  凹部
６  電線ヒューズ
６ａ  ヒューズ本体
６ｂ  配線接続用端子
６ｃ  導電体（ローレット）
７  カバー
８  防水ブッシュ
【図１】
0003131238.tif 000003
【図３】
0003131238.tif 000004
【図４】
0003131238.tif 000005
【図５】
0003131238.tif 000006
【図６】
0003131238.tif 000007
【図２】
0003131238.tif 000008